(57)【特許請求の範囲】
【請求項１】
所定のエラー訂正符号を含む第１のデータ部及び上記エラー訂正符号を含まない第２のデータ部から構成されるデータを所定の単位毎に復号化すると共に、上記第１のデータ部にエラーが発生しているならばエラーフラグを付加する復号化手段と、
上記復号化手段からの所定の単位毎のデータを記憶する記憶手段と、
上記記憶手段に記憶された所定の単位毎のデータが上記第１のデータ部のデータであるか、それとも上記第２のデータのデータ部であるかを判別し、上記記憶手段内の第１のデータ部のデータに対しては、上記記憶手段への所定の単位のデータの書き込みが終了した後にこのデータのエラーフラグ検出を行い、このエラーフラグ検出結果によりエラーが存在すると判別されるならば、第１のデータ部の次の所定の単位のデータの上記記憶手段への書き込みを中断して上記記憶手段に書き込まれた第１のデータ部のデータのエラー訂正処理を行い、上記記憶手段内の第２のデータ部のデータに対しては、上記記憶手段への所定の書き込みが終了した後に、このデータをそのまま転送する制御手段と
を有して成ることを特徴とする情報再生装置。
【請求項２】
上記第１のデータ部は映像信号及び音声信号の内容を表す情報から成り、上記第２のデータ部は所定の圧縮符号化処理された映像信号及び音声信号から成ることを特徴とする請求項１記載の情報再生装置。
【請求項３】
所定のエラー訂正符号を含む第１のデータ部及び上記エラー訂正符号を含まない第２のデータ部から構成されるデータを所定の単位毎に復号化すると共に、上記第１のデータ部にエラーが発生しているならばエラーフラグを付加する復号化工程と、
上記復号化工程からの所定の単位毎のデータを記憶手段に転送して記憶させる転送工程と、
上記記憶手段に記憶された所定の単位毎のデータが上記第１のデータ部のデータであるか、それとも上記第２のデータ部であるかを判別し、上記第１のデータ部のデータに対しては、上記記憶手段への所定の単位のデータの書き込みが終了した後にこのデータのエラーフラグ検出が行われ、このエラーフラグ検出結果によりエラーが存在すると判別されるならば、第１のデータ部の次の所定の単位のデータの上記記憶手段への書き込みが中断されて上記記憶手段に書き込まれた第１のデータ部のデータのエラー訂正処理が行われ、上記記憶手段への所定の単位の書き込みが終了した後に、このデータがそのまま転送される制御工程と
を有することを特徴とする情報再生方法。
【請求項４】
上記第１のデータ部は映像信号及び音声信号の内容を表す情報から成り、上記第２のデータ部は所定の圧縮符号化処理された映像信号及び音声信号から成ることを特徴とする請求項３記載の情報再生方法。
【発明の詳細な説明】
【０００１】
【産業上の利用分野】
本発明は、記録媒体に記録された映像信号、音声信号、及び他の情報等を再生する情報再生装置及びその方法に関する。
【０００２】
【従来の技術】
従来、光ディスク状記録媒体であるコンパクトディスク、いわゆるＣＤを使用した読み出し専用メモリであるＣＤ−ＲＯＭに記録された情報を読み出して再生するＣＤ−ＲＯＭ処理装置が存在する。この記録される情報のためのＣＤ−ＲＯＭの物理フォーマットを図５に示す。
【０００３】
ＣＤ−ＲＯＭの物理フォーマットには、図５のａ、ｂ、ｃにそれぞれ示すモード０、１、２の３種類がある。これらの物理フォーマットは、それぞれ２３５２バイトを一単位としており、セクタと呼ばれる。
【０００４】
モード０はダミー用に使用されるフォーマットであり、セクタの先頭を示す１２バイトの同期信号ＳＹＮＣ、セクタの時間情報を示す４バイトのヘッダＨＤ、及び２３３６バイトの全て０の値が記録されるゼロ（ヌルデータ）領域ＺＲから成る。モード１は、コンピュータ等の情報処理装置が扱う文字データのためのフォーマットである。同期信号ＳＹＮＣ及びヘッダＨＤの後には上記文字データが記録される２０４８バイトのユーザ領域ＵＦ、４バイトのエラー検出コードＥＤＣ、８バイトのゼロ領域ＺＲ、及び２７６バイトのエラー訂正コードＥＣＣが記録される。モード２は、画像や音声データのためのフォーマットであり、マルチメディア分野で用いられるフォーマットである。このモード２のフォーマットにおいては、同期信号ＳＹＮＣ及びヘッダＨＤの後の領域は全てユーザ領域ＵＦとしてデータが記録される。このように、モード１のフォーマットで扱う文字データに誤りが生じると意味の異なったデータとなるので、モード１のフォーマット内には厳密なエラー検出及び訂正を行うためにエラー検出コードＥＤＣ及びエラー訂正コードＥＣＣが多く含まれている。
【０００５】
上記モード２については、さらに図５のｄ、ｅに示す２種類の物理フォーマットをもつ。図５のｄの示すフォーム１のフォーマットは、コンピュータ等の情報処理装置及び文字データ用であり、図５のｅに示すフォーム２のフォーマットは、画像及び音声データ用である。このフォーム１のフォーマットでは、同期信号ＳＹＮＣ及びヘッダＨＤの次にファイル番号やコーディング情報を示す８バイトのサブヘッダＳＨＤが記録され、このサブヘッダＳＨＤの後に２０４８バイトのユーザ領域ＵＦ、４バイトのエラー検出コードＥＤＣ、及び２７６バイトのエラー訂正コードＥＣＣが続けて記録される。フォーム２のフォーマットでは、フォーム１と同様に、同期信号ＳＹＮＣ及びヘッダＨＤの次に８バイトのサブヘッダＳＨＤが記録され、この後は２３２４バイトのユーザ領域ＵＦが続けられる。このように、フォーム１のフォーマットはエラー検出コードＥＤＣ及びエラー訂正コードＥＣＣを含んでいて、エラー訂正を行うことが可能なフォーマットであるが、フォーム２のフォーマットはエラー検出コード及びエラー訂正コードを含まず、エラー訂正を行うことは不可能な、又はエラー訂正の必要のないフォーマットである。
【０００６】
現在、映像信号を記録するためのＣＤとしてビデオＣＤが開発されている。このビデオＣＤ上のフォーマットは、上記フォーム１及びフォーム２のフォーマットで構成される。このビデオＣＤ上のデータ配置を図６に示す。ビデオＣＤの最内周にはディスクの種類等を示すＴＯＣ(Table of Contents) が記録されている。このＴＯＣの外側にはフォーム１のフォーマットによる数秒間分のフォーム１データ部が位置する。そして、このフォーム１データ部の外側にはフォーム２のフォーマットによる映像信号や音声信号を記録するためのフォーム２データ部が存在する。
【０００７】
上述のフォーマットで信号が記録されたＣＤ−ＲＯＭの記録情報を再生する場合の情報再生装置の概略的な構成を図７に示す。
【０００８】
図７のＣＤ−ＲＯＭデコーダ１１にはＣＤ再生データが入力される。このＣＤ再生データは、ＣＤ−ＤＡのフォーマットのデータにエラー訂正処理が施されたものである。このＣＤ−ＲＯＭデコーダ１１では、ＣＤ再生データに復号化処理を施すことにより、通常のコンピュータ用のＣＤ−ＲＯＭデータが出力される。このＣＤ−ＲＯＭデータはＥＣＣ訂正回路１２に入力されて、ＥＣＣワークＲＡＭ(Randam Access Memory)１３に記憶される。このＥＣＣ訂正回路１２では、ＥＣＣワークＲＡＭ１３に記憶されたＣＤ−ＲＯＭデータの内のフォーム１フォーマットのデータのエラー検出及び訂正を行う。
【０００９】
上記ＥＣＣ訂正回路１２でエラー訂正処理が施されたデータは、ＣＰＵ（中央処理装置）１５の制御によってＣＰＵバス６を介してＣＰＵワークＲＡＭ１４に書き込まれた後、図示しない周辺デバイスに送られる。
【００１０】
【発明が解決しようとする課題】
ところで、ビデオＣＤ上に記録されるデータのほとんどはフォーム２データ部の画像及び音声データであり、エラー訂正を行うことは不可能である。これに対して、画像及び音声データ以外の一部の重要なデータが記録されるフォーム１データ部はエラー訂正が可能なフォーマットである。このフォーム１データ部のデータは、エラー訂正処理を行うが、リアルタイムでデータ処理を行うことは要求されないデータである。上述のようにデータ処理の異なる２つのフォーマットのデータは全て情報再生装置のＥＣＣ訂正回路１２に送られるので、リアルタイムで再生する必要性がある画像及び音声データに対しては高速なデータ処理が行われていない。
【００１１】
また、従来の情報再生装置は、フォーム１データ部のデータにしか使用されないＥＣＣ訂正回路１２及びこのＥＣＣ訂正回路１２の専用ＲＡＭであるＥＣＣワークＲＡＭ１３を備えているので、ハードウェアの構成が大きく、かつデータ処理が複雑になっている。
【００１２】
そこで、本発明は上述の実情に鑑み、ＣＤ−ＲＯＭデータの再生時に、効率良くデータ処理を行うことができ、また、ハードウェアの規模の小さい情報再生装置及びその方法を提供するものである。
【００１３】
【課題を解決するための手段】
本発明に係る情報再生装置は、所定のエラー訂正符号を含む第１のデータ部及びこのエラー訂正符号を含まない第２のデータ部から構成されるデータを所定の単位毎に復号化すると共に、上記第１のデータ部にエラーが発生しているならばエラーフラグを付加する復号化手段と、上記復号化手段からの所定の単位毎のデータを記憶する記憶手段と、上記記憶手段に記憶された所定の単位毎のデータが上記第１のデータ部のデータであるか、それとも上記第２のデータのデータ部であるかを判別し、上記記憶手段内の第１のデータ部のデータに対しては、上記記憶手段への所定の単位のデータの書き込みが終了した後にこのデータのエラーフラグ検出を行い、このエラーフラグ検出結果によりエラーが存在すると判別されるならば、第１のデータ部の次の所定の単位のデータの上記記憶手段への書き込みを中断して上記記憶手段に書き込まれた第１のデータ部のデータのエラー訂正処理を行い、上記記憶手段内の第２のデータ部のデータに対しては、上記記憶手段への所定の書き込みが終了した後に、このデータをそのまま転送する制御手段とを有して成ることにより上述した課題を解決する。
【００１５】
また、上記第１のデータ部は映像信号及び音声信号の内容を表す情報から成り、上記第２のデータ部は所定の圧縮符号化処理された映像信号及び音声信号から成ることを特徴とする。
【００１６】
また、本発明に係る情報再生方法は、所定のエラー訂正符号を含む第１のデータ部及びこのエラー訂正符号を含まない第２のデータ部から構成されるデータを所定の単位毎に復号化すると共に、上記第１のデータ部にエラーが発生しているならばエラーフラグを付加する復号化工程と、上記復号化工程からの所定の単位毎のデータを記憶手段に転送して記憶させる転送工程と、上記記憶手段に記憶された所定の単位毎のデータが上記第１のデータ部のデータであるか、それとも上記第２のデータ部であるかを判別し、上記第１のデータ部のデータに対しては、上記記憶手段への所定の単位のデータの書き込みが終了した後にこのデータのエラーフラグ検出が行われ、このエラーフラグ検出結果によりエラーが存在すると判別されるならば、第１のデータ部の次の所定の単位のデータの上記記憶手段への書き込みが中断されて上記記憶手段に書き込まれた第１のデータ部のデータのエラー訂正処理が行われ、上記記憶手段への所定の単位の書き込みが終了した後に、このデータがそのまま転送される制御工程とを有することにより上述した課題を解決する。
【００１８】
また、上記第１のデータ部は映像信号及び音声信号の内容を表す情報から成り、上記第２のデータ部は所定の圧縮符号化処理された映像信号及び音声信号から成ることを特徴とする。
【００１９】
【作用】
本発明に係る情報再生装置おいては、復号化されたデータを、記憶手段に記憶された所定の単位毎のデータが第１のデータ部のデータであるか否かを判別し、上記第１のデータ部のデータであり、かつ上記エラーフラグが付加されているならばエラー訂正処理を行う制御手段によって記憶手段に読み込んだ後に、第１のデータ部のデータであるならばエラー検出及びエラー訂正を行った後に転送し、第２のデータ部のデータであるならばそのまま転送する。
【００２０】
また、本発明に係る情報再生方法においては、復号化されたデータが、記憶手段に記憶された所定の単位毎のデータが第１のデータ部のデータであるか否かを判別し、上記第１のデータ部のデータであり、かつ上記エラーフラグが付加されているならばエラー訂正処理を行う制御工程において記憶手段に読み込まれた後に、第１のデータ部のデータであるならばエラー検出及びエラー訂正が行われた後に転送され、第２のデータ部のデータであるならばそのまま転送される。
【００２１】
【実施例】
以下、本発明の好ましい実施例について、図面を参照しながら説明する。図１には、本発明に係る情報再生装置の概略的な構成を示す。
【００２２】
図１のＣＤ−ＲＯＭデコーダ１にはＣＤ再生データが入力される。このＣＤ再生データは、ＣＤ−ＤＡのフォーマットのデータにエラー訂正処理が施されたものである。このＣＤ−ＲＯＭデコーダ１では、入力されるＣＤ再生データにセクタ毎に復号化処理を施す。また、フォーム１データ部のデータに対しては、エラーがある場合にはエラーフラグを付加する。
【００２３】
ここで、ＣＰＵ３は高速であり、かつＤＭＡＣ(Direct Memory Access Controler)４を内蔵するものである。このＤＭＡＣ４の制御により、上記ＣＤ−ＲＯＭデコーダ１で処理されたデータは、セクタ毎にＣＰＵバス５を介してリアルタイムにＣＰＵワークＲＡＭ２に転送され、読み込まれる。このＣＰＵワークＲＡＭ２はバッファとしても機能するものである。この後、上記ＣＤ−ＲＯＭデコーダ１では次のセクタのデータの復号化がすぐに開始されるので、上記ＤＭＡＣ４はデータ転送を行うことができるように上記ＣＰＵ３によって初期設定される。
【００２４】
上記ＣＰＵ３は、上記ＣＰＵワークＲＡＭ２に読み込まれた１セクタ分のデータのヘッダの内容に基づいて、この１セクタ分のデータがフォーム１データ部のデータであるか、それともフォーム２データ部のデータであるかを判別する。これにより、フォーム２データ部のデータであると判別された場合には、このデータは上記ＣＰＵ３の制御により図示しない周辺デバイス、具体的にはＭＰＥＧデコーダにＤＭＡ転送される。
【００２５】
また、上記判別により、上記１セクタ分のデータがフォーム１データ部のデータであると判別された場合には、上記ＣＤ−ＲＯＭデコーダ１からのエラーフラグを検出して上記ＣＰＵワークＲＡＭ２内に読み込まれた１セクタ分のデータにエラーがあるか否かを判別する。これにより、上記ＣＰＵワークＲＡＭ２内に読み込まれた１セクタ分のデータ内にエラーが存在しないと判別された場合には、このデータは上記ＣＰＵ３の制御によって図示しないＭＰＥＧデコーダにＤＭＡ転送される。しかし、上記ＣＰＵワークＲＡＭ２内に読み込まれた１セクタ分のデータ内にエラーが存在する場合には、上記ＣＰＵ３によってソフトウェアを用いたエラー訂正が行われる。この後、エラー訂正されたデータは上記ＣＰＵ３の制御によって図示しないＭＰＥＧデコーダにＤＭＡ転送される。
【００２６】
次に、情報再生装置における情報再生処理の手順をフローチャートとして図２に示し、以下に説明する。
先ず、図２のステップＳ１において、ＣＤ再生データをセクタ毎に図１のＣＤ−ＲＯＭデコーダ１で復号化処理を行いながら、この復号化されたデータをＤＭＡＣ４によってＣＰＵワークＲＡＭ２に転送する。
【００２７】
次に、ステップＳ２で、上記ＣＰＵワークＲＡＭ２に１セクタ分のデータを転送し終わったならば、次のデータ転送のためにＤＭＡＣ４の初期設定をし直す。さらに、ステップＳ３に進んで、上記ＣＰＵワークＲＡＭ２に転送された１セクタ分のデータがフォーム１データ部のデータであるか、それともフォーム２データ部のデータであるかを判別する。この判別により、フォーム２データ部のデータであると判別されたならば、ステップＳ４に進んで、上記ＣＰＵワークＲＡＭ２に転送された１セクタ分のデータを周辺デバイスにＤＭＡ転送する。
【００２８】
しかし、ステップＳ３でフォーム１データ部のデータであると判別されたならば、ステップＳ５に進んで、上記ＣＰＵワークＲＡＭ２に転送された１セクタ分のデータ内にエラーがあるか否かを、上記ＣＤ−ＲＯＭデコーダ１からのエラーフラグによって判別する。これにより、エラーがないと判別されるならば、ステップＳ４に進んで、上記ＣＰＵワークＲＡＭ２に転送された１セクタ分のデータを周辺デバイスにＤＭＡ転送する。
【００２９】
また、ステップＳ５でエラーがあると判別されるならば、ステップＳ６に進んで上記ＣＤ−ＲＯＭデコーダ１へのデータの送信を中断し、ステップＳ７で、上記ＣＰＵワークＲＡＭ２に転送された１セクタ分のデータに対して上記ＣＰＵ３がソフトウェアによるエラー訂正を行う。この後、ステップＳ４に進んで、上記ＣＰＵワークＲＡＭ２に転送された１セクタ分のデータを周辺デバイスにＤＭＡ転送する。
【００３０】
ステップＳ４で１セクタ分のデータを周辺デバイスにＤＭＡ転送した後にはステップＳ１に戻り、上記ＣＤ−ＲＯＭデコーダ１において次の１セクタ分のデータの復号化を行いながら、この復号化されたデータをＤＭＡＣ４によってＣＰＵワークＲＡＭ２に転送する処理を続ける。
【００３１】
次に、フォーム１のフォーマットによるフォーム１データ部のセクタデータの処理タイミングを図３に示し、フォーム２のフォーマットによるフォーム２データ部のセクタデータの処理タイミングを図４に示して、セクタ毎のデータの処理について以下に説明する。
【００３２】
先ず、図３を用いてフォーム１のフォーマットによるセクタ毎のデータの処理について説明する。
フォーム１データ部のセクタｎのＣＤ再生データが、図３のａに示すタイミングで、図１のＣＤ−ＲＯＭデコーダ１に入力されたときには、セクタｎのデータは上記ＣＤ−ＲＯＭデコーダ１において復号化されながら、図３のｂに示すタイミングで上記ＣＰＵワークＲＡＭ２内のバッファ１にＤＭＡ転送されて読み込まれる。上記読み込みが終了した後には、このデータのエラーフラグを検出することによるエラー検出が行われる。ここで、セクタｎのデータのエラーフラグ検出の際には、次のセクタ（ｎ＋１）のデータは、図３のａに示すタイミングで上記ＣＤ−ＲＯＭデコーダ１に入力され、図３のｃに示すタイミングで上記ＣＰＵワークＲＡＭ２内のバッファ２へのＤＭＡ転送及び読み込みが開始されている。
【００３３】
もし、バッファ１に読み込まれたセクタｎのデータ内にエラーがある場合には、セクタ（ｎ＋１）のデータの上記ＣＤ−ＲＯＭデコーダ１への入力、及びバッファ２へのＤＭＡ転送及び読み込みが中断されて、バッファ１のセクタｎのデータに対するエラー訂正のみが行われる。このセクタｎのデータのエラー訂正が終了したならば、このエラー訂正されたデータは周辺デバイスに転送される。この後、セクタ（ｎ＋１）のデータの上記ＣＤ−ＲＯＭデコーダ１への入力、及びバッファ２へのＤＭＡ転送及び読み込みが再開される。
【００３４】
次に、図４を用いてフォーム２のフォーマットによるセクタ毎のデータの処理について説明する。
フォーム２データ部のセクタｎのＣＤ再生データが、図４のａに示すタイミングで、図１のＣＤ−ＲＯＭデコーダ１に入力されたときには、セクタｎのデータは上記ＣＤ−ＲＯＭデコーダ１において復号化されながら、図４のｂに示すタイミングで上記ＣＰＵワークＲＡＭ２内のバッファ１にＤＭＡ転送されて読み込まれる。フォーム２データ部のデータに対してはエラー訂正を行わないので、上記読み込みが終了した後には、このセクタｎのデータはすぐに周辺デバイスへ転送される。
【００３５】
ここで、セクタｎのデータの次データであるセクタ（ｎ＋１）のデータは、上記セクタｎのデータの転送中に、図４のａに示すタイミングで上記ＣＤ−ＲＯＭデコーダ１に入力され、図４のｃに示すタイミングで上記ＣＰＵワークＲＡＭ２内のバッファ２へのＤＭＡ転送及び読み込みが開始される。このセクタ（ｎ＋１）のデータのバッファ２へのＤＭＡ転送及び読み込みが終了した後に、このセクタ（ｎ＋１）のデータはすぐに周辺デバイスへ転送される。このように、フォーム２データ部のデータの上記ＣＰＵワークＲＡＭ２への読み込みは中断されることなく、順次行われる。
【００３６】
【発明の効果】
以上の説明からも明らかなように、本発明に係る情報再生装置は、所定のエラー訂正符号を含む第１のデータ部及び上記エラー訂正符号を含まない第２のデータ部から構成されるデータを所定の単位毎に復号化すると共に、上記第１のデータ部にエラーが発生しているならばエラーフラグを付加する復号化手段と、上記復号化手段からの所定の単位毎のデータを記憶する記憶手段と、上記記憶手段に記憶された所定の単位毎のデータが上記第１のデータ部のデータであるか、それとも上記第２のデータのデータ部であるかを判別し、上記記憶手段内の第１のデータ部のデータに対しては、上記記憶手段への所定の単位のデータの書き込みが終了した後にこのデータのエラーフラグ検出を行い、このエラーフラグ検出結果によりエラーが存在すると判別されるならば、第１のデータ部の次の所定の単位のデータの上記記憶手段への書き込みを中断して上記記憶手段に書き込まれた第１のデータ部のデータのエラー訂正処理を行い、上記記憶手段内の第２のデータ部のデータに対しては、上記記憶手段への所定の書き込みが終了した後に、このデータをそのまま転送する制御手段とを有して成ることにより、一般に複雑となるＥＣＣ訂正回路及びこの回路の専用ＲＡＭを省略することができるので、ハードウェアの規模を縮小することができると共に、ハードウェアの性能を犠牲にすることなく、高速にデータ処理を行うことができる。
【００３８】
また、上記第１のデータ部は映像信号及び音声信号の内容を表す情報から成り、上記第２のデータ部は所定の圧縮符号化処理された映像信号及び音声信号から成ることにより、情報再生処理を迅速に行うことができる。
【００３９】
また、本発明に係る情報再生方法は、所定のエラー訂正符号を含む第１のデータ部及び上記エラー訂正符号を含まない第２のデータ部から構成されるデータを所定の単位毎に復号化すると共に、上記第１のデータ部にエラーが発生しているならばエラーフラグを付加する復号化工程と、上記復号化工程からの所定の単位毎のデータを記憶手段に転送して記憶させる転送工程と、上記記憶手段に記憶された所定の単位毎のデータが上記第１のデータ部のデータであるか、それとも上記第２のデータ部であるかを判別し、上記第１のデータ部のデータに対しては、上記記憶手段への所定の単位のデータの書き込みが終了した後にこのデータのエラーフラグ検出が行われ、このエラーフラグ検出結果によりエラーが存在すると判別されるならば、第１のデータ部の次の所定の単位のデータの上記記憶手段への書き込みが中断されて上記記憶手段に書き込まれた第１のデータ部のデータのエラー訂正処理が行われ、上記記憶手段への所定の単位の書き込みが終了した後に、このデータがそのまま転送される制御工程とを有することにより、一般に複雑となるＥＣＣ訂正回路及びこの回路の専用ＲＡＭを省略することができるので、ハードウェアの規模を縮小することができると共に、ハードウェアの性能を犠牲にすることなく、高速にデータ処理を行うことができる。
【００４１】
また、上記第１のデータ部は映像信号及び音声信号の内容を表す情報から成り、上記第２のデータ部は所定の圧縮符号化処理された映像信号及び音声信号から成ることにより、情報再生処理を迅速に行うことができる。
【図面の簡単な説明】
【図１】本発明に係る情報再生装置の概略的な構成を示す図である。
【図２】情報再生処理手順を示すフローチャート図である。
【図３】フォーム１データ部のセクタデータの処理タイミングを示す図である。
【図４】フォーム２データ部のセクタデータの処理タイミングを示す図である。
【図５】ＣＤ−ＲＯＭの物理フォーマットを示す図である。
【図６】ビデオＣＤ上のデータ配置を示す図である。
【図７】従来の情報再生装置の概略的な構成を示す図である。
【符号の説明】
１  ＣＤ−ＲＯＭデコーダ
２  ＣＰＵワークＲＡＭ
３  ＣＰＵ
４  ＤＭＡＣ
５  ＣＰＵバス
【図１】
0003637604.tif 000002
【図２】
0003637604.tif 000003
【図３】
0003637604.tif 000004
【図４】
0003637604.tif 000005
【図５】
0003637604.tif 000006
【図６】
0003637604.tif 000007
【図７】
0003637604.tif 000008